(57)【要約】【課題】一次ガス圧が変動する場合にも操作者を驚かすことなく、安定した点火性能が得られるコンロを提供する。【解決手段】バーナ１３と、バーナに付設された点火電極７及び点火電極に高電圧を印加するイグナイタ８１，８２と、バーナに燃料ガスを供給するガス供給路３と、ガス供給路に介設され、開度の増減によりバーナに供給される燃料ガス量を増減する電動式の流量調節弁６と、イグナイタ及び流量調節弁を制御するコントローラＣとを備え、コントローラは、バーナの点火制御時に、イグナイタへ通電させた後、バーナへ供給する燃料ガス量が徐々に増加するように流量調節弁の開度を増加させる。【選択図】図２
2019100622.tif 000002
【特許請求の範囲】
【請求項１】
バーナと、
バーナに付設された点火電極及びこの点火電極に高電圧を印加するイグナイタと、
バーナに燃料ガスを供給するガス供給路と、
ガス供給路に介設され、開度の増減によりバーナに供給される燃料ガス量を増減する電動式の流量調節弁と、
イグナイタ及び流量調節弁を制御するコントローラと
を備えたコンロにおいて、
コントローラは、バーナの点火制御時に、イグナイタへ通電させた後、バーナへ供給する燃料ガス量が徐々に増加するように流量調節弁の開度を増加させる
ことを特徴とするコンロ。
【請求項２】
コントローラは、バーナの点火制御時に、流量調節弁の開度を、バーナが点火しにくい条件でも点火可能な所定の燃料ガス量が得られる所定開度まで増加させると、以後、流量調節弁の開度をその所定開度に維持させることを特徴とする請求項１に記載のコンロ。
【請求項３】
コントローラは、バーナの点火制御時に、流量調節弁の開度を、バーナが安定して燃焼可能な下限の燃料ガス量に対応する開度から増加させることを特徴とする請求項１又は２に記載のコンロ。
【発明の詳細な説明】
【技術分野】
【０００１】
本発明は、バーナと、バーナに付設された点火電極及びこの点火電極に高電圧を印加するイグナイタと、バーナに燃料ガスを供給するガス供給路と、ガス供給路に介設され、開度の増減によりバーナに供給される燃料ガス量を増減する電動式の流量調節弁と、イグナイタ及び流量調節弁を制御するコントローラとを備えたコンロに関する。
【背景技術】
【０００２】
従来、この種のコンロのバーナの点火制御時は、流量調節弁の開度を、バーナに供給する燃料ガス量が所定の点火用ガス量となる開度に維持した状態でイグナイタに通電して点火するようにしている（例えば、特許文献１参照）。
【０００３】
上記コンロでは、電動式の流量調節弁を用いているため、一次ガス圧が変動しても燃焼ガス量が変動しないガバナ付き比例弁を用いるガス器具と異なり、一次ガス圧の変動に伴い燃料ガス量が増減してしまう。そこで、一次ガス圧が低くても確実に点火することができるように、点火制御時の流量調節弁の開度が設定されているが、一次ガス圧が高い場合、点火制御時の燃料ガス量が多くなって点火した瞬間に大きな炎が発生し、大きな点火音も伴うことから使用者を驚かせてしまうことがある。
【先行技術文献】
【特許文献】
【０００４】
【特許文献１】特開２０１３−２０４８４６号公報
【発明の概要】
【発明が解決しようとする課題】
【０００５】
本発明は、以上の点に鑑み、一次ガス圧が変動する場合にも使用者を驚かすことなく、安定した点火性能が得られるコンロを提供することをその課題としている。
【課題を解決するための手段】
【０００６】
上記課題を解決するために、本発明は、バーナと、バーナに付設された点火電極及びこの点火電極に高電圧を印加するイグナイタと、バーナに燃料ガスを供給するガス供給路と、ガス供給路に介設され、開度の増減によりバーナに供給される燃料ガス量を増減する電動式の流量調節弁と、イグナイタ及び流量調節弁を制御するコントローラとを備えたコンロにおいて、コントローラは、バーナの点火制御時に、イグナイタへ通電させた後、バーナへ供給する燃料ガス量が徐々に増加するように流量調節弁の開度を増加させることを特徴とする。
【０００７】
本発明によれば、バーナの点火制御時に流量調節弁の開度を徐々に増加させるので、バーナへ供給する燃料ガス量が徐々に増加する。従って、一次ガス圧が変動する場合にもバーナに供給される燃料ガス量が点火可能な所定量に達したところでバーナに点火する。このため、従来のような大きな点火音を伴う大きな炎の発生を抑制することができ、使用者を驚かすことなく、安定した点火性能が得られる。
【０００８】
本発明においては、コントローラは、バーナの点火制御時に、流量調節弁の開度を、バーナが点火しにくい条件でも点火可能な所定の燃料ガス量が得られる所定開度まで増加させると、以後、流量調節弁の開度をその所定開度に維持させることが望ましい。この場合、点火後、通常の燃焼制御に移行するまでに予期せずに炎が大きくなってしまうことを抑制することができる。
【０００９】
また、本発明においては、コントローラは、バーナの点火制御時に、流量調節弁の開度を、バーナが安定して燃焼可能な下限の燃料ガス量に対応する開度から増加させることが望ましい。この場合、流量調節弁を全閉状態から徐々に開けるときよりも早く点火させることができ、点火操作からバーナ点火までのタイムラグを小さくすることが可能となる。
【図面の簡単な説明】
【００１０】
【図１】本発明のコンロの一実施形態を示した概略斜視図。
【図２】図１に示したコンロのガス回路を示した回路図。
【図３】図２に示したコントローラによる点火制御に関する流量調節弁の開度−時間の関係を示したグラフ。
【発明を実施するための形態】
【００１１】
図１に示したコンロ１は、図示省略したシステムキッチンに組み込まれるビルトイン式のものである。コンロ１は、システムキッチンのカウンタトップに開設した開口に落とし込むようにして設置されるコンロ本体１１と、コンロ本体１１の上面を覆うようにしてカウンタトップ上に載置される天板１２と、天板１２上に露出する、前側左の＃１と前側右の＃２と後側中央の＃３との計３個のバーナ１３と、コンロ本体１１内に組み込まれたグリル１４とを備えている。バーナ１３は、天板１２上にバーナ１３を囲うように載置される五徳２の上に載置する鍋等の被調理物（図示なし）を加熱する。
【００１２】
図２に示したように、コンロ１用のガス供給路３は、図１に示した＃１〜＃３の３個のバーナ１３と、グリル１４に設けられた、グリル１４内の被調理物を加熱する＃４のバーナ１３に燃料ガスを供給する。ガス供給路３の上流側に元弁４が介設され、また、ガス供給路３は、元弁４の下流側で４本の分岐路３ａに分岐され、各分岐路３ａが４個のバーナ１３の各１個に接続されている。各分岐路３ａには、電磁安全弁５及び電動式の流量調節弁６が介設されている。流量調節弁６は、電磁安全弁５よりも分岐路３ａの下流側に配置されている。各流量調節弁６は、モータＭにより駆動されて開度が調節される電動式のものである。流量調節弁６の弁体の開度の増減によって、分岐路３ａを通じてバーナ１３に供給される燃料ガス量が増減される。流量調節弁６としては、モータＭの回動により送りねじ機構を介して軸方向に進退するニードル弁体を有するものや、モータＭの回動により回動する円板状の回動弁体を有するものを用いることができる。
【００１３】
また、各バーナ１３には、点火電極７が付設され、図示省略した火炎検知のための熱電対も付設されている。さらに、コンロ１には、＃１〜＃３のバーナ１３に付設された点火電極７に同時に高電圧を印加するイグナイタ８１と、＃４のバーナ１３に付設された点火電極７に高電圧を印加するイグナイタ８２とが設けられている。コンロ１では、元弁４、電磁安全弁５、流量調節弁６のモータＭ及びイグナイタ８１，８２がコントローラＣにより制御される。コントローラＣには、例えばマイクロコンピュータ等が適用可能である。
【００１４】
また、図１に示したように、コンロ本体１１の前面パネル１１ａには、電源スイッチ９と、バーナ１３の＃１〜＃４の各１個に対して１個ずつの火力調節摘み兼用の点消火ボタン１００（＃１〜＃４）とが設けられている。各点消火ボタン１００は、プッシュプッシュ式であり、前面パネル１１ａに没入した消火位置から使用者が押し操作することによって没入状態が解除され、前面パネル１１ａの前方に突出し、燃焼位置となる。この燃焼位置では、点消火ボタン１００は回動可能であり、点消火ボタン１００の回動操作によって大火〜小火の範囲内での火力調節が可能である。点消火ボタン１００の押し操作及び回動操作の両操作は、図２に示した操作検知スイッチＤによって検知される。操作検知スイッチＤが出力する検知信号はコントローラＣに入力される。
【００１５】
電源スイッチ９がＯＮにされた時、ＯＮ信号がコントローラＣに入力され、コンロ１は作動を開始する。使用者が消火位置に存する点消火ボタン１００を押して点火操作が行われると、操作検知スイッチＤから出力される検知信号がコントローラＣに入力されてコントローラＣはバーナ１３の点火制御を行う。この点火制御では、イグナイタ８１へ通電させて点火電極７に高電圧を印加し、点火電極７に連続してスパークを発生させる。尚、グリル１４用の点消火ボタン１００が押し操作されたときはイグナイタ８２へ通電させる。次いで、コントローラＣは、電磁安全弁５へ開信号を出力し、電磁安全弁５を開弁させる。尚、いずれのバーナ１３も燃焼していない状態でいずれかのバーナ１３の点火制御が行われるときは、元弁４も開弁させる。この後、コントローラＣは、図３に示したように、バーナ１３へ供給される燃料ガス量が徐々に増加するように、流量調節弁６の開度を徐々に増加させる。
【００１６】
このように、コントローラＣによるバーナ１３の点火制御では、バーナ１３の点火制御時に流量調節弁６の開度を徐々に増加させるので、バーナ１３へ供給する燃料ガス量が徐々に増加する。従って、一次ガス圧が変動する場合にもバーナ１３に供給される燃料ガス量が点火可能な所定量に達したところでバーナ１３に点火する。このため、従来のような大きな点火音を伴う大きな炎の発生を抑制することができ、使用者を驚かすことなく、安定した点火性能が得られる。この場合、流量調節弁６の開度の増加は、開弁から一定の割合とすることが望ましい。尚、点火により上記熱電対が加熱されてその起電圧が所定レベルに上昇したところで上記点火制御は終了し、バーナ１３の火力を点消火ボタン１００の回動操作に応じて調節する通常の燃焼制御に移行する。
【００１７】
また、コントローラＣは、バーナ１３の点火制御時に、流量調節弁６の開度を、バーナ１３が点火しにくい条件でも点火可能な所定の燃料ガス量が得られる所定開度θＨまで増加させると、以後、流量調節弁６の開度を所定開度θＨに維持させるようにプログラムされている。このため、点火後、通常の燃焼制御に移行するまでに予期せずに炎が大きくなってしまうことを抑制することができる。尚、点火しにくい条件としては、例えば、システムキッチンのレンジフードを作動させる等によりコンロ１の周辺に上昇気流等の空気の移動が起こり、風が発生した場合、風圧によってバーナ１３の炎孔から噴出する燃料ガスに外乱が生ずる等が例示される。
【００１８】
さらに、コントローラＣは、バーナ１３の点火制御時に、流量調節弁６の開度を、バーナ１３が安定して燃焼可能な下限の燃料ガス量に対応する開度θＬから増加させるようにプログラムされている。このため、流量調節弁６を全閉状態から徐々に開けるときよりも早く点火させることができ、点火操作からバーナ１３の点火までのタイムラグを小さくすることが可能となる。尚、流量調節弁６の上記開度については、θＨ＞θＬの関係にあり、上記「バーナ１３が安定して燃焼可能な下限の燃料ガス量」とは、燃料ガスに上記外乱が生ずるほどではない微風によって消火しない程度の燃料ガスの供給量を意味する。また、開度θＨ，θＬの大きさは、バーナ１３の火力性能等に応じて適宜設定することができ、開度θＨ，θＬと燃料ガス量の関係は、これまでの経験値に基づいて適宜設定することができる。
【００１９】
尚、コントローラＣによる上記点火制御は、ガス漏れ等の万一の場合を考慮して、点火操作開始から１０秒程度までの間に通常の燃焼制御に移行しないとき、点火ミスと判断するのが望ましい。点火ミスと判断した時は、コントローラＣは、電磁安全弁５を閉弁させると共に、コンロ１に設けられる、図示省略した報知機によりエラー報知を行う。また、コントローラＣによる点火制御は、一般に＃１〜＃３のバーナ１３に適用されるものであるが、グリル用である＃４のバーナ１３に対しても等しく行うことは可能である。
【００２０】
本発明の実施形態を図面を参照して説明したが、本発明は以上の実施形態に限定されるものではない。バーナの構成や構造、流量調節弁の種類、構成及び構造、コントローラの構成及び構造等については種々の態様が可能である。
【符号の説明】
【００２１】
１…コンロ、１３…バーナ、３…ガス供給路、６…流量調節弁、７…点火電極、８１，８２…イグナイタ、Ｃ…コントローラ、θＨ，θＬ…流量調節弁６の開度。
【図１】
2019100622.tif 000003
【図２】
2019100622.tif 000004
【図３】
2019100622.tif 000005